(57)【要約】      （修正有）【課題】携帯電話、タブレットまたそれらに関連する電子装置をデスクまたはそれ以外のものに保持する吸盤式ホルダーを提供する。【解決手段】吸盤式ホルダー１０は、双安定弾性バンド２０および吸盤３０を備える。双安定弾性バンド２０は外力によって水平状態および湾曲状態を切り替える。双安定弾性バンド２０は凹状面２３及び凸状面を貫通する円形穿孔を有する。吸盤３０は吸着部３２および連結部３４を有する。連結部３４は吸着部３２から伸びて形成され、双安定弾性バンド２０に回転可能に装着される。【選択図】図２
0003198513.tif 000002
【実用新案登録請求の範囲】
【請求項１】
双安定弾性バンドおよび吸盤を備え、
前記双安定弾性バンドは、外力によって水平状態および湾曲状態を切り替え、
前記吸盤は、吸着部および連結部を有し、前記連結部は前記吸着部から伸びて形成され、前記双安定弾性バンドに回転可能に装着されることを特徴とする吸盤式ホルダー。
【請求項２】
前記双安定弾性バンドは、穿孔を有し、前記吸盤の前記連結部は前記双安定弾性バンドの前記穿孔に回転可能に装着されることを特徴とする請求項１に記載の吸盤式ホルダー。
【請求項３】
前記吸盤の前記連結部は、二つの大径部位およびその間に位置する小径部位を有し、前記小径部位は前記双安定弾性バンドの前記穿孔に配置され、前記大径部位の外径は前記穿孔の孔径より大きいことを特徴とする請求項２に記載の吸盤式ホルダー。
【請求項４】
さらに装着部を備え、前記装着部は固定部および嵌合部を有し、前記固定部は前記双安定弾性バンドに固定され、前記嵌合部は前記固定部から伸びて形成され、前記吸盤の前記連結部は前記嵌合部に回転可能に装着されることを特徴とする請求項１に記載の吸盤式ホルダー。
【請求項５】
記吸盤の前記連結部は、筒状を呈し、前記装着部の前記嵌合部に被さることを特徴とする請求項４に記載の吸盤式ホルダー。
【請求項６】
前記装着部の前記嵌合部は、前記大径部位と、前記大径部位と前記固定部との間に位置する前記小径部位とを有し、前記小径部位の外径は前記大径部位の外径より小さく、前記吸盤の前記連結部は内壁面と、前記内壁面に突出した突出部とを有し、前記突出部は前記嵌合部の前記大径部位によって前記嵌合部の前記小径部位に限定されることを特徴とする請求項５に記載の吸盤式ホルダー。
【請求項７】
さらに接続スリーブを備え、前記接続スリーブは前記吸盤の前記連結部に被さり、前記装着部の前記嵌合部に回転可能に装着されることを特徴とする請求項１に記載の吸盤式ホルダー。
【請求項８】
前記装着部の前記嵌合部は、頂面、側面、それらに繋がる穿孔、嵌合溝および通路を有し、前記穿孔および前記通路は前記頂面に開放状に形成され、前記嵌合溝および前記通路は前記側面に開放状に形成され、前記接続スリーブは第一ストッパー、第二ストッパーおよびそれらの間に位置する差込部位を有し、前記第一ストッパーは前記嵌合部の前記嵌合溝に配置され、前記差込部位は前記嵌合部の前記穿孔に配置されることを特徴とする請求項７に記載の吸盤式ホルダー。
【請求項９】
前記装着部の前記嵌合部は、さらに前記頂面に形成された第一位置決め部を有し、前記接続スリーブの前記第二ストッパーは底面および第二位置決め部を有し、前記底面は前記嵌合部の前記頂面に相対し、前記第二位置決め部は前記底面に形成され、前記吸盤および前記接続スリーブが前記装着部および前記双安定弾性バンドに相対して所定角度まで回転すれば、前記第二位置決め部と前記第一位置決め部とは合わさることを特徴とする請求項８に記載の吸盤式ホルダー。
【請求項１０】
前記接続スリーブと前記吸盤の前記連結部とは一体成型であることを特徴とする請求項７に記載の吸盤式ホルダー。
【考案の詳細な説明】
【技術分野】
【０００１】
本考案は、携帯電話、タブレットまたはそれらに関連する電子装置をデスクまたはそれ以外のものに保持する装置、特に吸盤式ホルダーに関するものである。
【背景技術】
【０００２】
スマートモバイル機器（例えばスマートフォン、タブレットなど）の普及に伴って機能が多様化してきた現今において、スマートモバイル機器の用途はモバイル通信に限らず、レジャーなどの多方面に対応する。特に仕事にスマートモバイル機器を長時間使用する人は少なくないことに対し、市販品の中でスマートモバイル機器をデスクに保持する装置が多いため、モバイル機器の操作およびモバイルによる鑑賞の便をはかることができる。
【０００３】
特許文献１により掲示された電子装置に適用する吸着式スタンドは、電子装置の筐体に吸着しながら、デスクにもたれ掛かることによって電子装置をデスクに保持するものである。しかしながら、吸着式スタンドは平坦な表面にしか電子装置を保持できない。電子装置を手で持って使用する際、吸着式スタンドは操作の邪魔になるため、吸着式スタンドを取り外さなければならない。従って、この吸着式スタンドは使用に不便である。
【先行技術文献】
【特許文献】
【０００４】
【特許文献１】中華人民共和国実用新案ＣＮ２０２９５５４４８Ｕ号
【考案の概要】
【考案が解決しようとする課題】
【０００５】
本考案は上述した欠点に鑑み、携帯電話、タブレットまたそれらに関連する電子装置に吸着し、デスクまたはそれ以外のものに電子装置を保持し、使用の便をはかることができる吸盤式ホルダーを提供することを主な目的とする。
【課題を解決するための手段】
【０００６】
上述の目的を達成するために、本考案による吸盤式ホルダーは、双安定弾性バンドおよび吸盤を備える。双安定弾性バンドは外力によって水平状態および湾曲状態を切り替える。吸盤は吸着部および連結部を有する。連結部は吸着部から伸びて形成され、双安定弾性バンドに回転可能に装着される。
【０００７】
上述した構造により、吸盤の吸着部は電子装置の筐体に吸着できる。双安定弾性バンドを水平状態に維持すれば、双安定弾性バンドは電子装置の筐体に密着するため、電子装置を手で持って使用するユーザーの動きを妨害することがない。双安定弾性バンドを湾曲状態に維持すれば、双安定弾性バンドはデスクまたはそれ以外のものにもたれ掛かるか、ユーザーの腕に巻くことができる。このときユーザーは手で持つ必要なく、電子装置の操作および電子装置による鑑賞をスムーズに進めることができる。また、吸盤は双安定弾性バンドに相対して回転できる。従って本考案は使用状態に応じて電子装置の置き方を簡単に変え、使用の便をはかることができる。
【０００８】
本考案による吸盤式ホルダーの詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【０００９】
【図１】本考案の第１実施形態による吸盤式ホルダーを示す斜視図である。
【図２】本考案の第１実施形態による吸盤式ホルダーの双安定弾性バンドが水平に維持された状態を示す分解斜視図である。
【図３】図１中の３−３線に沿った断面図である。
【図４】本考案の第１実施形態による吸盤式ホルダーの双安定弾性バンドが湾曲した状態を示す斜視図である。
【図５】本考案の第１実施形態による吸盤式ホルダーが携帯電話に使用された状態を示す斜視図である。
【図６】本考案の第１実施形態による吸盤式ホルダーが携帯電話に使用された状態を示す斜視図である。
【図７】本考案の第１実施形態による吸盤式ホルダーが携帯電話に使用された状態を示す斜視図である。
【図８】本考案の第２実施形態による吸盤式ホルダーを示す分解斜視図である。
【図９】本考案の第２実施形態による吸盤式ホルダーを示す断面図である。
【図１０】本考案の第３実施形態による吸盤式ホルダーを示す分解斜視図である。
【図１１】本考案の第３実施形態による吸盤式ホルダーを示す断面図である。
【考案を実施するための形態】
【００１０】
以下、本考案による吸盤式ホルダーを図面に基づいて説明する。なお、図中の同じ符号は同じ部品または類似した部品のまたはその構造特徴を示す。下記の記載において、一つの部品を別の一つの部品に配置することは前記部品を直接別の一つの部品に配置する、または前記部品を別の一つの部品に間接に配置する、即ち二つの部品の間に一つまたは複数の部品を配置することを表示する。
【００１１】
（第１実施形態）
図１から図４に示すように、本考案の第１実施形態による吸盤式ホルダー１０は、双安定弾性バンド２０および吸盤３０を備える。
【００１２】
双安定弾性バンド２０（bistable elastic band）は周知のスラップバンド（slap band）に類似し、細長い弧状の弾性金属片２１（例えば鋼片）と、弾性金属片２１を覆うシリコン製の被覆体２２とを有する。本実施形態において、被覆体２２は二つの被覆層２２２から構成されるが、これに限らず、下記の第２実施形態および第３実施形態により提示されたとおり、一体成型されてもよい。
【００１３】
上述した構造により、双安定弾性バンド２０は弾性変形可能な帯状体を呈し、相当な剛性を有し、かつ凹状面２３および凸状面２４を有する。双安定弾性バンド２０は外力によって水平状態Ｓ１および湾曲状態Ｓ２を切り替える。つまり、双安定弾性バンド２０はユーザーからの外力によって水平状態Ｓ１を湾曲状態Ｓ２に切り替えることができる。外力を解除すると、双安定弾性バンド２０は湾曲状態Ｓ２に維持される。このときユーザーが再び双安定弾性バンド２０に力を加えれば、双安定弾性バンド２０は湾曲状態Ｓ２を水平状態Ｓ１に切り替えることができる。再び外力を解除すると、双安定弾性バンド２０は水平状態Ｓ１に維持される。本実施形態において、双安定弾性バンド２０は凹状面２３をおよび凸状面２４を貫通する円形穿孔２５を有する。
【００１４】
吸盤３０は、ポリ塩化ビニル（Polyvinylchloride、ＰＶＣ）から製作され、吸着部３２および連結部３４を有する。吸着部３２は円盤状を呈し、かつ吸着機能を有する。連結部３４は吸着部３２の突起面の中央から伸びて形成され、中空の柱状体を呈し、かつ二つの大径部位３４１、３４２および二つの大径部位３４１、３４２の間に位置する小径部位３４３を有する。大径部位３４１は吸着部３２と一体になり、外径が大径部位３４２より大きい。大径部位３４１、３４２の外径は小径部位３４３の外径および穿孔２５の孔径より大きい。
【００１５】
吸盤３０の連結部３４は材質および形によって弾力性を生じる。連結部３４は双安定弾性バンド２０の穿孔２５に回転可能に装着される。大径部位３４１は凹状面２３に位置付けられ、大径部位３４２は凸状面２４に位置付けられる。小径部位３４３は二つの大径部位３４１、３４２によって穿孔２５内に限定される。
【００１６】
図５から図７に示すように、吸盤３０の吸着部３２は電子装置（例えば図に示した携帯電話）の筐体に吸着できる。双安定弾性バンド２０を水平状態Ｓ１に維持すれば、双安定弾性バンド２０は電子装置の筐体に密着する。このとき吸盤式ホルダー１０は電子装置を手で持って使用するユーザーの動きを妨害することがない。双安定弾性バンド２０を湾曲状態Ｓ２に維持すれば、双安定弾性バンド２０はデスクまたはそれ以外のものにもたれ掛かる。このとき吸盤式ホルダー１０はデスクまたはそれ以外のものに電子装置を斜めに保持できるため、ユーザーは手で持つ必要なく、電子装置の操作および電子装置による鑑賞をスムーズに進めることができる。図６および図７に示すように、電子装置の置き方を変えたい時、例えば電子装置を横向きまたは縦向きに置く場合、吸盤式ホルダー１０の着脱を行う必要なく、吸盤３０と双安定弾性バンド２０とを相対的に回転させればよい。一方、双安定弾性バンド２０を湾曲状態Ｓ２に維持すれば、双安定弾性バンド２０はユーザーの腕に巻くことができる。このときユーザーは吸盤３０を双安定弾性バンド２０に相対して回転させ、電子装置と腕の相対角度を変えることができる。
【００１７】
言い換えれば、双安定弾性バンド２０を水平状態Ｓ１および湾曲状態Ｓ２に維持し、吸盤３０を双安定弾性バンド２０に相対して回転させることができる特性により、本考案による吸盤式ホルダーは使用状態が多様化するため、使用に非常に便利である。一方、双安定弾性バンド２０に吸盤３０が回転可能に装着される方式は第１実施形態により提示された方式に限らず、下記の第２実施形態および第３実施形態により提示される方式であってもよい。
【００１８】
（第２実施形態）
図８および図９に示すように、本考案の第２実施形態による吸盤式ホルダー４０において、双安定弾性バンド２０はソケット２６を有する。ソケット２６は凹状面２３に突出し、装着部５０を固定する。吸盤３０の連結部３４は装着部５０に回転可能に装着される。言い換えれば、吸盤３０の連結部３４は装着部５０によって双安定弾性バンド２０に間接に装着され、双安定弾性バンド２０に相対して回転できる。
【００１９】
詳しく言えば、装着部５０はポリオキシメチレン（Polyoxymethylene、ＰＯＭ）から製作され、固定部５２および嵌合部５４を有する。固定部５２は円盤状を呈し、ソケット２６に嵌め込まれる。嵌合部５４は固定部５２の中央から伸びて形成され、中空の柱状体を呈し、かつ大径部位５４１および大径部位５４１と固定部５２との間に位置する小径部位５４２を有する。小径部位５４２の外径は大径部位５４１の外径より小さい。吸盤３０の連結部３４は筒状を呈し、内壁面３４４および内壁面３４４に突出した突出部３４５を有する。連結部３４は嵌合部５４に回転可能に被さる。突出部３４５は嵌合部５４の大径部位５４２によって嵌合部５４の小径部位５４２に限定される。
【００２０】
（第３実施形態）
図１０および図１１に示すように、本考案の第３実施形態による吸盤式ホルダー６０において、双安定弾性バンド２０のソケット２６は装着部７０（例えばＰＯＭ製）を固定する。装着部７０はソケット２６に固定される固定部７２と、固定部７２に突出した嵌合部７４とを有する。吸盤３０の連結部３４は接続スリーブ８０（例えばＰＯＭ製）に嵌め込まれる。接続スリーブ８０は装着部７０の嵌合部７４に回転可能に装着される。言い換えれば、吸盤３０の連結部３４は接続スリーブ８０および装着部７０によって双安定弾性バンド２０に間接に装着され、双安定弾性バンド２０に相対して回転できる。
【００２１】
詳しく言えば、装着部７０の嵌合部７４は頂面７４１、側面７４２、それらに繋がる穿孔７４３、嵌合溝７４４および通路７４５を有する。穿孔７４３および通路７４５は頂面７４１に開放状に形成される。嵌合溝７４４および通路７４５は側面７４２に開放状に形成される。接続スリーブ８０は第一ストッパー８１、第二ストッパー８２および第一ストッパー８１と第二ストッパー８２との間に位置する差込部位８３を有する。第一ストッパー８１はリング状を呈する。第二ストッパー８２はリング状部８２１と、四つのリング状部８２１から径方向に沿って伸びて形成された拡張部８２２とを有する。差込部位８３は筒状を呈し、外径が第一ストッパー８１の外径および第二ストッパー８２のリング状部８２１の外径より小さい。接続スリーブ８０が嵌合部７４に嵌め込まれる際、第一ストッパー８１は側面７４２から嵌合溝７４４に入り込んで配置され、差込部位８３は側面７４２から通路７４５に入り込み、穿孔７４３に配置される。
【００２２】
上述した構造により、吸盤３０および接続スリーブ８０は同時に装着部７０および双安定弾性バンド２０に相対して回転できる。接続スリーブ８０および装着部７０は上述に限らず、以下の構造特徴によって位置決め機能を果たすことができる。
【００２３】
装着部７０の嵌合部７４はさらに三つの頂面７４１に形成された第一位置決め部７４６を有する。接続スリーブ８０の第二ストッパー８２は底面８２３および四つの第二位置決め部８２４を有する。底面８２３は嵌合部７４の頂面７４１に相対する。第二位置決め部８２４は四つの拡張部８２２に別々に形成される。吸盤３０および接続スリーブ８０が装着部７０および双安定弾性バンド２０に相対して所定角度まで回転すれば、三つの第二位置決め部８２４は第一位置決め部７４６に別々に嵌合されるため、吸盤３０の吸着した電子装置は所定角度で維持され、あまり回転できない。本実実施形態において、第一位置決め部７４６および第二位置決め部８２４は形が相互に対応する。即ち、第一位置決め部７４６は凸状部を呈するのに対し、第二位置決め部８２４は凹状溝を呈するが、これに限らない。つまり、第一位置決め部７４６および第二位置決め部８２４の形は入れ替わってもよい。
【００２４】
本実施形態において、第一位置決め部７４６および第二位置決め部８２４の数および位置により、吸盤３０は双安定弾性バンド２０に相対して９０度回転するごとに位置が限定される。一方、嵌合部７４が一つの第一位置決め部７４６のみを有するか、接続スリーブ８０が一つの第二位置決め部８２４のみを有すれば上述した機能が果たせる。或いは、嵌合部７４が一つの第一位置決め部７４６のみを有し、接続スリーブ８０が一つの第二位置決め部８２４のみを有すれば吸盤３０の位置は所定角度で限定される。本実施形態において、接続スリーブ８０と吸盤３０は異なる材料から製作され、そののち結合するか、一体成型されることによって比較的良好な構造強度を生じる。
【００２５】
以上、本考案は、上記実施形態になんら限定されるものではなく、考案の趣旨を逸脱しない範囲において種々の形態で実施可能である。
【符号の説明】
【００２６】
１０：吸盤式ホルダー、
２０：双安定弾性バンド、
２１：弾性金属片、
２２：被覆体
２２２：被覆層、
２３：凹状面、
２４：凸状面、
２５：穿孔、
２６：ソケット、
３０：吸盤、
３２：吸着部、
３４：連結部、
３４１、３４２：大径部位、
３４３：小径部位、
３４４：内壁面、
３４５：突出部
４０：吸盤式ホルダー、
５０：装着部、
５２：固定部、
５４：嵌合部、
５４１：大径部位、
５４２：小径部位、
６０：吸盤式ホルダー、
７０：装着部、
７２：固定部、
７４：嵌合部、
７４１：頂面、
７４２：側面、
７４３：穿孔、
７４４：嵌合溝、
７４５：通路、
７４６：第一位置決め部、
８０：接続スリーブ、
８１：第一ストッパー、
８２：第二ストッパー、
８２１：リング状部
８２２：拡張部、
８２３：底面、
８２４：第二位置決め部、
８３：差込部位、
Ｓ１：水平状態
Ｓ２：湾曲状態
【図１】
0003198513.tif 000003
【図２】
0003198513.tif 000004
【図３】
0003198513.tif 000005
【図４】
0003198513.tif 000006
【図５】
0003198513.tif 000007
【図６】
0003198513.tif 000008
【図７】
0003198513.tif 000009
【図８】
0003198513.tif 000010
【図９】
0003198513.tif 000011
【図１０】
0003198513.tif 000012
【図１１】
0003198513.tif 000013
【手続補正書】
【提出日】平成27年4月28日(2015.4.28)
【手続補正１】
【補正対象書類名】実用新案登録請求の範囲
【補正対象項目名】全文
【補正方法】変更
【補正の内容】
【実用新案登録請求の範囲】
【請求項１】
双安定弾性バンドおよび吸盤を備え、
前記双安定弾性バンドは、外力によって水平状態および湾曲状態を切り替え、
前記吸盤は、吸着部および連結部を有し、前記連結部は前記吸着部から伸びて形成され、前記双安定弾性バンドに回転可能に装着されることを特徴とする吸盤式ホルダー。
【請求項２】
前記双安定弾性バンドは、穿孔を有し、前記吸盤の前記連結部は前記双安定弾性バンドの前記穿孔に回転可能に装着されることを特徴とする請求項１に記載の吸盤式ホルダー。
【請求項３】
前記吸盤の前記連結部は、二つの大径部位およびその間に位置する小径部位を有し、前記小径部位は前記双安定弾性バンドの前記穿孔に配置され、前記大径部位の外径は前記穿孔の孔径より大きいことを特徴とする請求項２に記載の吸盤式ホルダー。
【請求項４】
さらに装着部を備え、前記装着部は固定部および嵌合部を有し、前記固定部は前記双安定弾性バンドに固定され、前記嵌合部は前記固定部から伸びて形成され、前記吸盤の前記連結部は前記嵌合部に回転可能に装着されることを特徴とする請求項１に記載の吸盤式ホルダー。
【請求項５】
前記吸盤の前記連結部は、筒状を呈し、前記装着部の前記嵌合部に被さることを特徴とする請求項４に記載の吸盤式ホルダー。
【請求項６】
前記装着部の前記嵌合部は、大径部位と、前記大径部位と前記固定部との間に位置する小径部位とを有し、前記小径部位の外径は前記大径部位の外径より小さく、前記吸盤の前記連結部は内壁面と、前記内壁面に突出した突出部とを有し、前記突出部は前記嵌合部の前記大径部位によって前記嵌合部の前記小径部位に限定されることを特徴とする請求項５に記載の吸盤式ホルダー。
【請求項７】
さらに接続スリーブを備え、前記接続スリーブは前記吸盤の前記連結部に被さり、前記装着部の前記嵌合部に回転可能に装着されることを特徴とする請求項４に記載の吸盤式ホルダー。
【請求項８】
前記装着部の前記嵌合部は、頂面、側面、それらに繋がる穿孔、嵌合溝および通路を有し、前記穿孔および前記通路は前記頂面に開放状に形成され、前記嵌合溝および前記通路は前記側面に開放状に形成され、前記接続スリーブは第一ストッパー、第二ストッパーおよびそれらの間に位置する差込部位を有し、前記第一ストッパーは前記嵌合部の前記嵌合溝に配置され、前記差込部位は前記嵌合部の前記穿孔に配置されることを特徴とする請求項７に記載の吸盤式ホルダー。
【請求項９】
前記装着部の前記嵌合部は、さらに前記頂面に形成された第一位置決め部を有し、前記接続スリーブの前記第二ストッパーは底面および第二位置決め部を有し、前記底面は前記嵌合部の前記頂面に相対し、前記第二位置決め部は前記底面に形成され、前記吸盤および前記接続スリーブが前記装着部および前記双安定弾性バンドに相対して所定角度まで回転すれば、前記第二位置決め部と前記第一位置決め部とは合わさることを特徴とする請求項８に記載の吸盤式ホルダー。
【請求項１０】
前記接続スリーブと前記吸盤の前記連結部とは一体成型であることを特徴とする請求項７に記載の吸盤式ホルダー。